(57)【要約】【課題】情報端末装置上で正確な登録情報を常に表示させ、容易に画像を表示させる。【解決手段】カメラを窓外に設置し情報端末装置と有線接続し、画像を取得できる状態にする（Ｓ１１）。情報端末装置から画像機器に対してＩＰアドレスを指定することによって機器登録を行う（Ｓ１２）。この情報端末装置は機器登録情報を情報処理サーバ装置に送信する（Ｓ１３）。情報処理サーバ装置では、これら送信されてきた機器登録情報の保存・更新を行う(Ｓ１４)。情報端末装置に対して機器登録が終了してからある一定時間、例えば１時間経過すると（Ｓ１５）、情報端末装置は画像機器であるカメラに対して、ＩＰアドレスを指定することによって機器登録を再度行い、機器登録情報を更新することができ、機器登録情報を情報処理サーバ装置に送信、更新を行うことができる。情報端末装置では最新の機器登録情報を用いて画像機器の一覧を表示することができる（Ｓ１６）。【選択図】図４
2006140878.tif 000002
【特許請求の範囲】
【請求項１】
機器に関する機器情報を収集する情報送受信部と、前記機器からの情報に基づいて機器情報を記憶しておく情報処理部とを備えた情報端末装置と、前記情報端末装置との間で通信回線を介して前記機器情報を送受信する情報処理サーバ装置とからなり、前記情報端末装置に対して前記機器情報の登録を行い、前記機器の登録情報を前記情報処理サーバ装置に送信・保存し、定期的に前記情報端末装置と前記機器との情報送受信を行い、前記情報端末装置に保存した前記機器の登録情報を前記情報処理サーバ装置に送信することを特徴とする情報システム。
【請求項２】
機器に関する機器情報を収集する情報送受信部と、前記機器からの情報に基づいて機器情報を記憶しておく情報処理部とを備えた情報端末装置と、前記情報端末装置との間で通信回線を介して前記機器情報を送受信する情報処理サーバ装置とからなり、前記情報端末装置に対して前記機器情報の登録を行い、前記機器の登録情報を前記情報処理サーバ装置に送信・保存し、定期的に前記情報端末装置と前記機器との情報送受信を行い、前記情報端末装置に保存した前記機器の登録情報を前記情報処理サーバ装置に送信し、前記機器の登録情報を一覧として表示することを特徴とする情報システム。
【請求項３】
画像機器に関する機器情報を収集する情報送受信部と、前記画像機器からの情報に基づいて機器情報を記憶しておく情報処理部とを備えた情報端末装置と、前記情報端末装置との間で通信回線を介して前記機器情報を送受信する情報処理サーバ装置とからなり、前記情報端末装置に対して前記機器情報の登録を行い、前記画像機器の登録情報を前記情報処理サーバ装置に送信・保存し、定期的に前記情報端末装置と前記画像機器との情報送受信を行い、前記情報端末装置に保存した前記画像機器の登録情報を前記情報処理サーバ装置に送信し、前記画像機器の登録情報を一覧として表示し、前記一覧画面から前記画像機器の画像情報を取得することを特徴とする情報システム。
【請求項４】
機器に関する機器情報を収集する情報送受信部と、前記機器からの情報に基づいて機器情報を記憶しておく情報処理部とを備えた情報端末装置と、前記情報端末装置と情報を送受信する情報処理サーバ装置とからなる情報システムの制御方法において、前記情報端末装置に対して前記機器情報の登録を行うステップと、前記機器の登録情報を前記情報処理サーバ装置に送信・保存するステップと、定期的に前記情報端末装置と前記機器との情報送受信を行うステップと、前記情報端末装置に保存した前記機器の登録情報を前記情報処理サーバ装置に送信するステップとを備えてなる制御方法。
【請求項５】
機器に関する機器情報を収集する情報送受信部と、前記機器からの情報に基づいて機器情報を記憶しておく情報処理部とを備えた情報端末装置と、前記情報端末装置と情報を送受信する情報処理サーバ装置とからなる情報システムの制御方法において、前記情報端末装置に対して前記機器情報の登録を行うステップと、前記機器の登録情報を前記情報処理サーバ装置に送信・保存するステップと、定期的に前記情報端末装置と前記機器との情報送受信を行うステップと、前記情報端末装置に保存した前記機器の登録情報を前記情報処理サーバ装置に送信するステップと、前記機器の登録情報を一覧として表示するステップとを備えてなる制御方法。
【請求項６】
画像機器に関する機器情報を収集する情報送受信部と、前記画像機器からの情報に基づいて機器情報を記憶しておく情報処理部とを備えた情報端末装置と、前記情報端末装置と情報を送受信する情報処理サーバ装置とからなる情報システムの制御方法において、前記情報端末装置に対して前記機器情報の登録を行うステップと、前記画像機器の登録情報を前記情報処理サーバ装置に送信・保存するステップと、定期的に前記情報端末装置と前記画像機器との情報送受信を行うステップと、前記情報端末装置に保存した前記画像機器の登録情報を前記情報処理サーバ装置に送信するステップと、前記画像機器の登録情報を一覧として表示するステップと、前記一覧画面から前記画像機器の画像情報を取得するステップとを備えてなる制御方法。
【請求項７】
情報端末装置に対して機器情報の登録を行い、前記機器の登録情報を情報処理サーバ装置に送信・保存し、定期的に前記情報端末装置と前記機器との情報送受信を行い、前記情報端末装置に保存した前記機器の登録情報を前記情報処理サーバ装置に送信し、前記画像機器の登録情報を一覧として表示し、前記一覧画面から前記画像機器の画像情報を取得するものとしてコンピュータに機能させるためのプログラム。
【発明の詳細な説明】
【技術分野】
【０００１】
本発明は、機器の情報を情報端末装置上で表示させることに関する情報システム、制御方法およびそのプログラムに関するものである。
【背景技術】
【０００２】
従来、各機器と接続されている情報端末装置に対して、各機器と情報端末装置との間の登録は最初に１度行うだけである。また、それら登録させた室内操作端末や遠隔操作端末に対して、情報端末装置上では個別操作画面を表示するとともに、この個別操作画面の中に、現在の状態を絵で表示するものがある（例えば、特許文献１参照）。この表示によって現在の各機器の状態をわかりやすくできるものである。
【０００３】
すなわち、情報端末装置上で操作させたい機器を情報端末装置との間で登録を最初に１度行い、これら登録した機器を操作する時にその個別専用画面を表示させ、その画面を表示させ操作することができるものである。
【特許文献１】特開２００４−１１２５０６号公報
【発明の開示】
【発明が解決しようとする課題】
【０００４】
しかしながら、前記従来の構成では、情報端末装置と各機器との登録を１度行うだけで、その情報端末装置内の登録機器が常に正確かどうかわからないという欠点がある。たとえば、設置していた機器を取り除いたり、機器は設置したままであるが、電源を切っていたり使用不可能な状態になっていたりする場合がある。従って、このような場合、情報端末装置側の登録情報と機器側との登録情報において整合がとれていないという課題がある。
【０００５】
また、このように情報端末装置側の登録情報と機器側との登録情報が不正確な場合、情報端末装置上で未登録機器を表示させようとすると、画面上でエラーが表示されるという欠点もある。
【０００６】
また、情報端末装置の画面上で各機器の個別の操作画面を表示しても、全体の画面がないので、全体を把握したい時にわかりにくいという課題もある。
【０００７】
さらに、情報端末装置に登録された最新の機器の登録情報が情報処理サーバ装置にあがっていなかった場合、すなわち情報端末装置の登録情報と情報処理サーバ装置の登録情報とが一致していない場合、外部通信装置から機器制御できないことがあるという課題がある。
【０００８】
本発明は、このような課題を解決するために、画像機器に関する機器情報を収集する情報送受信部と、画像機器からの情報に基づいて機器情報を記憶しておく情報処理部とを備えた情報端末装置と、前記情報端末装置との間で通信回線を介して機器情報を送受信する情報処理サーバ装置とからなり、前記情報端末装置に対して前記機器情報の登録を行い、前記画像機器の登録情報を前記情報処理サーバ装置に送信・保存し、定期的に前記情報端末装置と前記画像機器との情報送受信を行い、前記情報端末装置に保存した前記画像機器の登録情報を前記情報処理サーバ装置に送信し、前記画像機器の登録情報を一覧として表示し、前記一覧画面から前記画像機器の画像情報を取得することによって、情報端末装置上での各画像機器からの画像情報表示の利便性、正確性、信頼性を高めるようにしたものである。
【０００９】
このようにすることによって、情報端末装置は定期的に画像機器と情報のやりとりを行っているので、情報端末装置側の登録情報と画像機器側との登録情報において常に整合がとれた状態であることになる。また、情報端末装置上では登録されている画像機器の一覧が表示されるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができる。
【００１０】
さらに、情報端末装置で取得した機器登録情報を情報処理サーバ装置に送信することによって、機器登録情報を常に最新の情報にしておくことができ、外部通信装置上での各画像機器からの画像情報表示の利便性、正確性、信頼性を向上させることができる。
【００１１】
このようにして、本発明は、画像機器が登録されている情報端末装置において、情報端末装置は登録されている各画像機器の状態を常に把握し、登録情報を取得し、その各画像機器の登録情報を情報処理サーバ装置に送信することによって、各画像機器の最新の一覧を常に明確に表示させることができ、この一覧画面から各画像機器の画像情報を容易に、正確に表示させることができるので、情報端末装置上および外部通信装置上での各画像機器からの画像情報表示の利便性、正確性、信頼性を高めることができるようにした情報システム、制御方法およびそのプログラムを提供することを目的とするものである。
【課題を解決するための手段】
【００１２】
前記従来の課題を解決するために、本発明の情報システムは、画像機器に関する機器情報を収集する情報送受信部と、前記画像機器からの情報に基づいて機器情報を記憶しておく情報処理部とを備えた情報端末装置と、前記情報端末装置との間で通信回線を介して機器情報を送受信する情報処理サーバ装置とからなり、前記情報端末装置に対して前記機器情報の登録を行い、前記画像機器の登録情報を前記情報処理サーバ装置に送信・保存し、定期的に前記情報端末装置と前記画像機器との情報送受信を行い、前記情報端末装置に保存した前記画像機器の登録情報を前記情報処理サーバ装置に送信し、前記画像機器の登録情報を一覧として表示し、前記一覧画面から前記画像機器の画像情報を取得することを特徴とする情報システムを提供するものである。
【００１３】
また、本発明の制御方法は、画像機器に関する機器情報を収集する情報送受信部と、画像機器からの情報に基づいて機器情報を記憶しておく情報処理部とを備えた情報端末装置と、情報端末装置と情報を送受信する情報処理サーバ装置とからなる情報システムの制御方法において、前記情報端末装置に対して前記機器情報の登録を行うステップと、前記画像機器の登録情報を前記情報処理サーバ装置に送信・保存するステップと、定期的に前記情報端末装置と前記画像機器との情報送受信を行うステップと、前記情報端末装置に保存した前記画像機器の登録情報を前記情報処理サーバ装置に送信するステップと、前記画像機器の登録情報を一覧として表示するステップと、前記一覧画面から前記画像機器の画像情報を取得するステップとを備えてなる制御方法を提供するものである。
【００１４】
すなわち、本発明は、情報端末装置が画像機器と定期的に情報のやりとりを行っているので、情報端末装置側の登録情報と画像機器側との登録情報において常に整合がとれた状態であることになる。
【００１５】
また、情報端末装置上では登録されている画像機器の一覧が表示されるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができる。
【００１６】
さらに、情報端末装置で取得した定期的な機器登録情報を情報処理サーバ装置に送信することによって、機器登録情報を常に最新の情報にしておくことができ、外部通信装置上での各画像機器からの画像情報表示の利便性、正確性、信頼性を高めるようにしたものである。
【００１７】
以上のような構成とすることにより、本発明によれば、画像機器が登録されている情報端末装置において、情報端末装置は登録されている各画像機器の状態を常に把握し、登録情報を取得し、その各画像機器の登録情報を情報処理サーバ装置に送信することによって、各画像機器の最新の一覧を常に明確に表示させることができ、この一覧画面から各画像機器の画像情報を容易に、正確に表示させることができるので、情報端末装置上および外部通信装置上での各画像機器からの画像情報表示の利便性、正確性、信頼性を高めることができるものである。
【発明の効果】
【００１８】
以上のように、本発明の情報システム、制御方法およびそのプログラムによれば、情報端末装置が画像機器と定期的に情報のやりとりを行っているので、情報端末装置側の登録情報と画像機器側との登録情報において常に整合がとれた状態を保持することができる。
【発明を実施するための最良の形態】
【００１９】
第１の発明は、機器に関する機器情報を収集する情報送受信部と、機器からの情報に基づいて機器情報を記憶しておく情報処理部とを備えた情報端末装置と、前記情報端末装置との間で通信回線を介して機器情報を送受信する情報処理サーバ装置とからなり、前記情報端末装置に対して前記機器情報の登録を行い、前記機器の登録情報を前記情報処理サーバ装置に送信・保存し、定期的に前記情報端末装置と前記機器との情報送受信を行い、前記情報端末装置に保存した前記機器の登録情報を前記情報処理サーバ装置に送信することを特徴とする情報システムを提供するものである。
【００２０】
これによって、本発明は、情報端末装置が機器と定期的に情報のやりとりを行っているので、情報端末装置側の登録情報と機器側の登録情報において常に整合がとれた状態を保持することができ、情報端末装置上での各機器からの情報表示の利便性、正確性、信頼性を高めることができるものである。
【００２１】
第２の発明は、機器に関する機器情報を収集する情報送受信部と、機器からの情報に基づいて機器情報を記憶しておく情報処理部とを備えた情報端末装置と、前記情報端末装置との間で通信回線を介して機器情報を送受信する情報処理サーバ装置とからなり、前記情報端末装置に対して前記機器情報の登録を行い、前記機器の登録情報を前記情報処理サーバ装置に送信・保存し、定期的に前記情報端末装置と前記機器との情報送受信を行い、前記情報端末装置に保存した前記機器の登録情報を前記情報処理サーバ装置に送信し、前記機器の登録情報を一覧として表示することを特徴とする情報システムを提供するものである。
【００２２】
これによって、本発明は、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００２３】
第３の発明は、画像機器に関する機器情報を収集する情報送受信部と、画像機器からの情報に基づいて機器情報を記憶しておく情報処理部とを備えた情報端末装置と、前記情報端末装置との間で通信回線を介して前記機器情報を送受信する情報処理サーバ装置とからなり、前記情報端末装置に対して前記機器情報の登録を行い、前記画像機器の登録情報を前記情報処理サーバ装置に送信・保存し、定期的に前記情報端末装置と前記画像機器との情報送受信を行い、前記情報端末装置に保存した前記画像機器の登録情報を前記情報処理サーバ装置に送信し、前記画像機器の登録情報を一覧として表示し、前記一覧画面から前記画像機器の画像情報を取得することを特徴とする情報システムを提供するものである。
【００２４】
これによって、本発明は、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００２５】
第４の発明は、機器に関する機器情報を収集する情報送受信部と、機器からの情報に基づいて機器情報を記憶しておく情報処理部とを備えた情報端末装置と、情報端末装置と情報を送受信する情報処理サーバ装置とからなる情報システムの制御方法において、前記情報端末装置に対して前記機器情報の登録を行うステップと、前記機器の登録情報を前記情報処理サーバ装置に送信・保存するステップと、定期的に前記情報端末装置と前記機器との情報送受信を行うステップと、前記情報端末装置に保存した前記機器の登録情報を前記情報処理サーバ装置に送信するステップとを備えてなる制御方法を提供するものである。
【００２６】
これによって、本発明は、情報端末装置が画像機器と定期的に情報のやりとりを行っているので、情報端末装置側の登録情報と画像機器側との登録情報において常に整合がとれた状態を保持することができ、情報端末装置上での各画像機器からの画像情報表示の利便性、正確性、信頼性を高めることができるものである。
【００２７】
第５の発明は、機器に関する機器情報を収集する情報送受信部と、機器からの情報に基づいて機器情報を記憶しておく情報処理部とを備えた情報端末装置と、情報端末装置と情報を送受信する情報処理サーバ装置とからなる情報システムの制御方法において、前記情報端末装置に対して前記機器情報の登録を行うステップと、前記機器の登録情報を前記情報処理サーバ装置に送信・保存するステップと、定期的に前記情報端末装置と前記機器との情報送受信を行うステップと、前記情報端末装置に保存した前記機器の登録情報を前記情報処理サーバ装置に送信するステップと、前記機器の登録情報を一覧として表示するステップとを備えてなる制御方法を提供するものである。
【００２８】
これによって、本発明は、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００２９】
第６の発明は、画像機器に関する機器情報を収集する情報送受信部と、画像機器からの情報に基づいて機器情報を記憶しておく情報処理部とを備えた情報端末装置と、情報端末装置と情報を送受信する情報処理サーバ装置とからなる情報システムの制御方法において、前記情報端末装置に対して前記機器情報の登録を行うステップと、前記機器の登録情報を前記情報処理サーバ装置に送信・保存するステップと、定期的に前記情報端末装置と前記機器との情報送受信を行うステップと、前記情報端末装置に保存した前記機器の登録情報を前記情報処理サーバ装置に送信するステップと、前記機器の登録情報を一覧として表示するステップと、前記一覧画面から前記画像機器の画像情報を取得するステップとを備えてなる制御方法を提供するものである。
【００３０】
これによって、本発明は、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００３１】
第７の発明は、情報端末装置に対して機器情報の登録を行い、機器の登録情報を情報処理サーバ装置に送信・保存し、定期的に前記情報端末装置と前記機器との情報送受信を行い、前記情報端末装置に保存した前記機器の登録情報を前記情報処理サーバ装置に送信し、前記画像機器の登録情報を一覧として表示し、前記一覧画面から前記画像機器の画像情報を取得するものとしてコンピュータを機能させるためのプログラムを提供するものである。
【００３２】
そして、プログラムであるので、電気・情報機器、コンピュータ、サーバ等のハードリソースを協働させて本発明の情報システム、情報端末装置の少なくとも一部を容易に実現することができる。また記録媒体に記録したり通信回線を用いてプログラムを配信したりすることでプログラムの配布・更新やそのインストール作業が簡単にできる。
【００３３】
以上のような構成とすることにより、本発明によれば、各家電機器の登録情報を情報処理サーバ装置に保存することができることによって、情報端末装置の登録情報と情報処理サーバ装置の登録情報とが一致していない状態をなくし、各家電機器の制御操作を容易にしたものである。従って、外部通信装置の使用の利便性、正確性、信頼性を高めることができ、システムの信頼性を確実に向上させることができるものである。
【００３４】
すなわち、本発明は、情報端末装置が画像機器と定期的に情報のやりとりを行っているので、情報端末装置側の登録情報と画像機器側との登録情報において常に整合がとれた状態を保持することができ、情報端末装置上での各画像機器からの画像情報表示の利便性、正確性、信頼性を高めるようにしたものである。
【００３５】
また、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができる。
【００３６】
さらに、情報端末装置上での各画像機器からの画像情報表示を以上のような構成とすることにより、本発明によれば、画像機器が登録されている情報端末装置において、情報端末装置は登録されている各画像機器の状態を常に把握し、登録情報を取得し、その各画像機器の登録情報を情報処理サーバ装置に送信することによって、各画像機器の最新の一覧を常に明確に表示させることができ、この一覧画面から各画像機器の画像情報を容易に、正確に表示をすることができるものである。従って、情報端末装置上および外部通信装置上での各画像機器からの画像情報表示の利便性、正確性、信頼性を高めることができ、システムの信頼性を確実に向上させることができるという効果を有するものである。
【００３７】
以下、本発明の実施の形態について、図面を参照しながら説明する。なお、この実施の形態によって本発明が限定されるものではない。
【００３８】
（実施の形態１）
図１は、本発明の第１の実施の形態における情報システムのシステム全体を概略的に示す構成説明図を示すものである。以下に本実施の形態における構成を説明する。
【００３９】
図１に示す本実施の形態の情報システムは、各家庭１００に設置された洗濯機１５、エアコン１６等の家電機器とＣＣＤカメラ１７等を無線通信によって接続した情報端末装置１と、情報端末装置１を外部と接続するための回線接続手段４、外部のネットワークである宅外回線網１２、情報処理サーバ装置１０とから成る。この時の情報端末装置１の通信回線網は情報通信回線網であるデータ通信回線網１３から成っている。
【００４０】
また、端末機器は給湯器、温水利用システム、ガスメータ、電力メータ、水道メータ等でもよい。
【００４１】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にある情報処理サーバ装置および携帯電話等の外部の通信装置と送受信することができるものである。
【００４２】
具体的には、通信機器の送受信は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網、回線接続手段を介して直接に情報処理サーバ装置にＡＤＳＬ接続することもできるものである。さらに、通信機器の送受信の接続回線網はＦＴＴＨのような光ファイバー網でもよい。
【００４３】
このような情報システムにおいて、機器に関する機器情報を収集する情報送受信部と、機器からの情報に基づいて機器情報を記憶しておく情報処理部とを備えた情報端末装置１と、前記情報端末装置１との間で通信回線を介して機器情報を送受信する情報処理サーバ装置１０とからなり、情報端末装置１に対して機器情報の登録を行い、機器の登録情報を情報処理サーバ装置１０に送信・保存し、定期的に情報端末装置１と機器との情報送受信を行い、情報端末装置１に保存した機器の登録情報を情報処理サーバ装置１０に送信することができる情報システムである。
【００４４】
情報端末装置１に対して、画像機器であるＣＣＤカメラ１７をＩＰアドレスを用いて機器登録する。その機器登録情報は情報処理サーバ装置１０に送信・保存される。その後、情報端末装置１は、定期的に画像機器であるＣＣＤカメラ１７に対して、ＩＰアドレスを用いて情報の送受信を行う。情報端末装置１がＩＰアドレスに対して情報の送信を行い、それに対して該当のＣＣＤカメラ１７は情報の返信を返し、情報端末装置１はＣＣＤカメラの生存確認を行うことができる。この時、ＣＣＤカメラ１７のＬＡＮ線をはずしていたり、ＣＣＤカメラ自体を取り外していた場合は、情報端末装置１の応答に対して返信がないので、情報端末装置１はＣＣＤカメラ１７がないと判断して、機器登録情報を更新することができる。この更新された機器登録情報は情報処理サーバ装置１０に送信・保存される。
【００４５】
すなわち、本発明は、情報端末装置１が画像機器１７と定期的に情報のやりとりを行っているので、情報端末装置１に登録されて接続されているもののみが表示され、接続されていないものは表示されないので、情報端末装置１側の登録情報と画像機器１７側との登録情報において常に整合がとれた状態を保持することができ、情報端末装置１上での各画像機器からの画像情報表示の利便性、正確性、信頼性を高めることができるものである。
【００４６】
このようにすることによって、情報端末装置が画像機器と定期的に情報のやりとりを行い、その更新された機器登録情報を情報処理サーバ装置に送信するので、情報端末装置側の登録情報と画像機器側、情報処理サーバ装置側との登録情報において常に整合がとれた状態を保持することができるものである。
【００４７】
次に本実施の形態の情報端末装置１について図面を参照しながら説明する。図２は本発明の第１の実施の形態で用いる情報端末装置１の機能ブロック図を示すものである。以下に本実施の形態における構成を説明する。
【００４８】
図２に示す本実施の形態の情報端末装置１は、データ通信処理部２３、画像表示部２４、情報処理部２５、情報収集部２６、情報送信部２７、情報送受信部２８とから構成されている。本情報端末装置１は、各画像機器等と無線通信２９や有線通信によって接続されており、各機器からの情報収集を情報収集部２６によって行い、各機器へのデータ送信を情報送信部２７によって行う。
【００４９】
これらの収集された情報等は情報処理部２５によって処理し、データ通信処理部２３を用いて、ルーター２、回線接続手段４を経由して外部の情報処理サーバ装置に送受信することができる。この時の通信回線網はＡＤＳＬ等のデータ通信回線網２０である。
【００５０】
このような情報端末装置１において、情報端末装置１が画像機器１７と定期的に情報のやりとりを行っているので、情報端末装置１に登録されて接続されているもののみが表示され、接続されていないものは表示されないので、情報端末装置１側の登録情報と画像機器１７側との登録情報において常に整合がとれた状態を保持することができ、情報端末装置１上での各画像機器からの画像情報表示の利便性、正確性、信頼性を高めることができるものである。
【００５１】
以上のような構成とすることにより、本実施の形態によれば、情報端末装置が画像機器と定期的に情報のやりとりを行い、その更新された機器登録情報を情報処理サーバ装置に送信するので、情報端末装置側の登録情報と画像機器側、情報処理サーバ装置側との登録情報において常に整合がとれた状態を保持することができるものである。従って、情報端末装置上での各画像機器からの画像情報表示および携帯電話等の外部通信装置の使用の利便性、正確性、信頼性を高めることができるものである。
【００５２】
次に、本実施の形態の制御方法について図面を参照しながら説明する。図３は同実施の形態に係るシステムの処理手順を示すフローチャートを示すものである。以下に本実施の形態におけるフローを説明する。
【００５３】
まず、画像機器１７としてＣＣＤインターネットカメラを窓外に設置し情報端末装置１と有線接続し、ネットワークカメラを起動させて画像を取得できる状態にする。（ステップＳ１）。起動した後、情報端末装置１に対して画像機器としてＣＣＤインターネットカメラを機器登録する。この時、画像機器のＩＰアドレスを指定することによって機器登録を行う（ステップＳ２）。登録した後、この情報端末装置１はデータ通信回線網１３および宅外回線網１２（インターネット回線網）を用いて機器登録情報を情報処理サーバ装置１０に送信する（ステップＳ３）。
【００５４】
情報処理サーバ装置１０では、これら送信されてきた機器登録情報の保存・更新を行う(ステップＳ４)。情報端末装置１に対して機器登録が終了してからある一定時間、例えば１時間経過すると（ステップＳ５）、情報端末装置１は画像機器であるＣＣＤインターネットカメラに対して、ＩＰアドレスを指定することによって情報送信を行い、ＣＣＤカメラはその情報送信に対して返信を返すことによって、情報端末装置１では機器登録を再度行い、機器登録情報を更新することができる。
【００５５】
更新した後、この情報端末装置１はデータ通信回線網１３および宅外回線網１２（インターネット回線網）を用いて機器登録情報を情報処理サーバ装置１０に送信する。情報処理サーバ装置１０では、これら送信されてきた機器登録情報の更新を行うことができる。
【００５６】
すなわち、本実施の形態は、情報端末装置１が画像機器と定期的に情報のやりとりを行い、その更新された機器登録情報を情報処理サーバ装置１０に送信するので、情報端末装置１側の登録情報と画像機器１７側、情報処理サーバ装置１０側との登録情報において常に整合がとれた状態を保持することができるものである。従って、情報端末装置上での各画像機器からの画像情報表示、および携帯電話等の外部機器の使用の利便性、信頼性を高め、システムの信頼性を確実に向上させることができる。
【００５７】
以上のような構成・手順とすることにより、本実施の形態によれば、情報端末装置が画像機器と定期的に情報のやりとりを行っているので、情報端末装置に登録されて接続されているもののみが表示され、接続されていないものは表示されないので、情報端末装置側の登録情報と画像機器側との登録情報において常に整合がとれた状態を保持することができ、情報端末装置上での各画像機器からの画像情報表示の利便性、正確性、信頼性を高めることができるものである。
【００５８】
（実施の形態２）
実施の形態２の情報システムについて説明する。以下に本実施の形態における構成を説明する。
【００５９】
本実施の形態の情報システムは、図１と同様に各家庭１００に設置された洗濯機１５、エアコン１６等の家電機器とＣＣＤカメラ１７等を無線通信によって接続した情報端末装置１と、情報端末装置１を外部と接続するための回線接続手段４、外部のネットワークである宅外回線網１２、情報処理サーバ装置１０とから成る。この時の情報端末装置１の通信回線網は情報通信回線網であるデータ通信回線網１３から成っている。
【００６０】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にある情報処理サーバ装置および携帯電話等の外部の通信装置と送受信することができるものである。
【００６１】
このような情報システムにおいて、機器に関する機器情報を収集する情報送受信部と、機器からの情報に基づいて機器情報を記憶しておく情報処理部とを備えた情報端末装置と、前記情報端末装置との間で通信回線を介して機器情報を送受信する情報処理サーバ装置とからなり、情報端末装置に対して機器情報の登録を行い、機器の登録情報を情報処理サーバ装置に送信・保存し、定期的に情報端末装置と機器との情報送受信を行い、情報端末装置に保存した機器の登録情報を情報処理サーバ装置に送信し、機器の登録情報を一覧として表示することができる情報システムである。
【００６２】
情報端末装置１に対して、画像機器であるＣＣＤカメラをＩＰアドレスを用いて機器登録する。その機器登録情報は情報処理サーバ装置１０に送信・保存される。その後、情報端末装置１は、定期的に画像機器であるＣＣＤカメラに対して、ＩＰアドレスを用いて情報の送受信を行う。情報端末装置１がＩＰアドレスに対して情報の送信を行い、それに対して該当のＣＣＤカメラは情報の返信を返し、情報端末装置１はＣＣＤカメラの生存確認を行うことができる。この時、ＣＣＤカメラのＬＡＮ線をはずしていたり、ＣＣＤカメラ自体を取り外していた場合は、情報端末装置の応答に対して返信がないので、情報端末装置はＣＣＤカメラがないと判断して、機器登録情報を更新することができる。この更新された機器登録情報は情報処理サーバ装置１０に送信・保存される。さらに、この機器登録情報を用いて最新の機器一覧を表示することができる。
【００６３】
すなわち、本実施の形態は、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００６４】
このようにすることによって、情報端末装置が画像機器と定期的に情報のやりとりを行っているので、情報端末装置側の登録情報と画像機器側との登録情報において常に整合がとれた状態を保持することができる。
【００６５】
また、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができる。
【００６６】
次に、本実施の形態の制御方法について図面を参照しながら説明する。図４は同実施の形態に係るシステムの処理手順を示すフローチャートを示すものである。以下に本実施の形態におけるフローを説明する。
【００６７】
まず、画像機器１７としてＣＣＤインターネットカメラを窓外に設置し情報端末装置１と有線接続し、ネットワークカメラを起動させて画像を取得できる状態にする。（ステップＳ１１）。起動した後、情報端末装置１に対して画像機器としてＣＣＤインターネットカメラを機器登録する。この時、画像機器のＩＰアドレスを指定することによって機器登録を行う（ステップＳ１２）。登録した後、この情報端末装置１はデータ通信回線網１３および宅外回線網１２（インターネット回線網）を用いて機器登録情報を情報処理サーバ装置１０に送信する（ステップＳ１３）。
【００６８】
情報処理サーバ装置１０では、これら送信されてきた機器登録情報の保存・更新を行う(ステップＳ１４)。情報端末装置１に対して機器登録が終了してからある一定時間、例えば１時間経過すると（ステップＳ１５）、情報端末装置１は画像機器であるＣＣＤインターネットカメラに対して、ＩＰアドレスを指定することによって情報送信を行い、ＣＣＤカメラはその情報送信に対して返信を返すことによって、情報端末装置１では機器登録を再度行い、機器登録情報を更新することができる。
【００６９】
更新した後、この情報端末装置１はデータ通信回線網１３および宅外回線網１２（インターネット回線網）を用いて機器登録情報を情報処理サーバ装置１０に送信する。情報処理サーバ装置１０では、これら送信されてきた機器登録情報の更新を行うことができる。情報端末装置では最新の機器登録情報を用いて画像機器の一覧を表示することができる（ステップＳ１６）。
【００７０】
すなわち、本実施の形態は、情報端末装置が画像機器と定期的に情報のやりとりを行っているので、情報端末装置側の登録情報と画像機器側との登録情報において常に整合がとれた状態を保持することができる。また、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができる。
【００７１】
以上のような構成・手順とすることにより、本実施の形態によれば、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００７２】
（実施の形態３）
実施の形態３の情報システムについて説明する。以下に本実施の形態における構成を説明する。
【００７３】
本実施の形態の情報システムは、図１と同様に各家庭１００に設置された洗濯機１５、エアコン１６等の家電機器とＣＣＤカメラ１７等を無線通信によって接続した情報端末装置１と、情報端末装置１を外部と接続するための回線接続手段４、外部のネットワークである宅外回線網１２、情報処理サーバ装置１０とから成る。この時の情報端末装置１の通信回線網は情報通信回線網であるデータ通信回線網１３から成っている。
【００７４】
このような情報システムにおいて、画像機器１７に関する機器情報を収集する情報送受信部と、画像機器からの情報に基づいて機器情報を記憶しておく情報処理部とを備えた情報端末装置１と、前記情報端末装置１との間で通信回線を介して機器情報を送受信する情報処理サーバ装置１０とからなり、情報端末装置１に対して機器情報の登録を行い、画像機器１７の登録情報を情報処理サーバ装置１０に送信・保存し、定期的に情報端末装置１と画像機器１７との情報送受信を行い、情報端末装置１に保存した画像機器の登録情報を情報処理サーバ装置１０に送信し、画像機器１７の登録情報を一覧として表示し、一覧画面から画像機器１７の画像情報を取得することができる情報システムである。
【００７５】
情報端末装置１に対して、画像機器１７であるＣＣＤカメラをＩＰアドレスを用いて機器登録する。その機器登録情報は情報処理サーバ装置１０に送信・保存される。その後、情報端末装置１は、定期的に画像機器であるＣＣＤカメラに対して、ＩＰアドレスを用いて情報の送受信を行う。情報端末装置１がＩＰアドレスに対して情報の送信を行い、それに対して該当のＣＣＤカメラは情報の返信を返し、情報端末装置１はＣＣＤカメラの生存確認を行うことができる。この時、ＣＣＤカメラのＬＡＮ線をはずしていたり、ＣＣＤカメラ自体を取り外していた場合は、情報端末装置１の応答に対して返信がないので、情報端末装置１はＣＣＤカメラがないと判断して、機器登録情報を更新することができる。この更新された機器登録情報は情報処理サーバ装置１０に送信・保存される。さらに、この機器登録情報を用いて最新の機器一覧を表示することができる。この一覧画面から各画像機器の画像情報を表示することができる。
【００７６】
すなわち、本実施の形態は、情報端末装置上で登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００７７】
このようにすることによって、画像機器が登録されている情報端末装置において、情報端末装置は登録されている各画像機器の状態を常に把握し、登録情報を取得し、その各画像機器の登録情報を情報処理サーバ装置に送信することによって、各画像機器の最新の一覧を常に明確に表示させることができ、この一覧画面から各画像機器の画像情報を容易に、正確に表示をすることができるものである。従って、情報端末装置上および外部通信装置上での各画像機器からの画像情報表示の利便性、正確性、信頼性を高めることができ、システムの信頼性を確実に向上させることができる。
【００７８】
次に、本実施の形態の制御方法について図面を参照しながら説明する。図５は同実施の形態に係るシステムの処理手順を示すものである。以下に本実施の形態におけるフローを説明する。
【００７９】
まず、画像機器１７としてＣＣＤインターネットカメラを窓外に設置し情報端末装置１と有線接続し、ネットワークカメラ１７を起動させて画像を取得できる状態にする。起動した後、情報端末装置１に対して画像機器１７としてＣＣＤインターネットカメラを機器登録する。この時、画像機器のＩＰアドレスを情報端末装置１から画像機器に情報を送信し（ステップＳ２１）、画像機器はその信号に対して返信を返す（ステップＳ２２）。このように各画像機器に対してＩＰアドレスを指定することによって機器登録を行う（ステップＳ２３）。
【００８０】
登録した後、この情報端末装置１はデータ通信回線網１３および宅外回線網１２（インターネット回線網）を用いて機器登録情報を情報処理サーバ装置１０に送信する(ステップＳ２４)。情報処理サーバ装置では、これら送信されてきた機器登録情報の保存・更新を行う(ステップＳ２５)。
【００８１】
情報端末装置に対して機器登録が終了してからある一定時間、例えば１時間経過すると（ステップＳ２６）、情報端末装置１は画像機器であるＣＣＤインターネットカメラ１７に対して、ＩＰアドレスを指定することによって情報送信を行い、ＣＣＤカメラはその情報送信に対して返信を返すことによって、情報端末装置１では機器登録を再度行い、機器登録情報を更新することができる。更新した後、この情報端末装置１はデータ通信回線網および宅外回線網（インターネット回線網）を用いて機器登録情報を情報処理サーバ装置１０に送信する。情報処理サーバ装置１０では、これら送信されてきた機器登録情報の更新を行うことができる。
【００８２】
情報端末装置１では最新の機器登録情報を用いて画像機器の一覧を表示することができる（ステップＳ２７）。この一覧画面の１つの画像機器を選択するとその画像機器に対して画像表示要求を送る（ステップＳ２８）。送られた画像表示要求に対して画像機器は情報端末装置に対して、画像情報を送信する（ステップＳ２９）。これによって、情報端末装置１では画像を表示することができる（ステップＳ３０）。
【００８３】
すなわち、本発明は、画像機器が登録されている情報端末装置において、情報端末装置は登録されている各画像機器の状態を常に把握し、登録情報を取得し、その各画像機器の登録情報を情報処理サーバ装置に送信することによって、各画像機器の最新の一覧を常に明確に表示させることができ、この一覧画面から各画像機器の画像情報を容易に、正確に表示をすることができるものである。従って、情報端末装置上および外部通信装置上での各画像機器からの画像情報表示の利便性、正確性、信頼性を高めることができ、システムの信頼性を確実に向上させることができる。
【００８４】
以上のような構成・手順とすることにより、本実施の形態によれば、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００８５】
この時の情報端末装置１の画面表示をについて図面を参照しながら説明する。図６は同実施の形態に係る情報端末装置の画面表示図を示すものである。
【００８６】
最新の機器登録情報を用いて、情報端末装置の画面表示部では機器名とその設置場所の一覧が正確に表示される（図６（ａ））。このうち、「ネットワークカメラ４  書斎窓」という表示部（図６の６１）を押下すると、書斎の窓部に設置してあるネットワークカメラからの画像（図６（ｂ））を表示させることができる。その時のカメラにパン・チルト機能があるとその表示を矢印を用いて行うことができる（図６の６２）。
【００８７】
以上のような表示とすることにより、情報端末装置上では登録されている画像機器の正確な一覧を表示することができるので、何が登録されているかが一目でわかり、未登録機器は表示されないので、それを見ようとして失敗することもなくエラーを表示させることもない。従って、画像機器が登録されている情報端末装置上で画像機器の最新の一覧が常に明確に表示され、その画像機器の画像情報を容易に、正確に表示させることができ、情報端末装置上での各画像機器からの画像情報表示の利便性、正確性、信頼性を高めることができるものである。
【００８８】
なお、今までの実施の形態ではブロードバンドのインターネット回線としてＡＤＳＬで説明したが、これに限らずあらゆる通信方式であってもよい。
【００８９】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００９０】
以上のように、本発明にかかる情報システム、制御方法、およびそのプログラムは、情報端末装置に登録されている各家電機器の状態を取得し、登録情報も取得することができるようにしたものであり、また、その各家電機器の登録情報を情報処理サーバ装置に保存することによって、情報端末装置の登録情報と情報処理サーバ装置の登録情報とが一致していない状態をなくすことができるもので、外部通信装置の使用の利便性、正確性、信頼性を高めることができ、システムの信頼性を確実に向上させることができ、家庭内全てのネットワークシステムに対しても有用である。
【図面の簡単な説明】
【００９１】
【図１】本発明の第１の実施の形態に係る情報システム全体を概略的に示す構成説明図
【図２】同実施の形態で用いる情報端末装置の機能ブロック図
【図３】同実施の形態に係るシステムの処理手順を示すフローチャート
【図４】本発明の第２の実施の形態に係るシステムの処理手順を示すフローチャート
【図５】本発明の第３の実施の形態に係るシステムの処理手順を示す図
【図６】同実施の形態に係る情報端末装置の画面表示を示す図
【符号の説明】
【００９２】
１  情報端末装置
１０  情報処理サーバ装置
１２  宅外回線網（インターネット網）
１３  データ通信回線網
１５  洗濯機
１６  エアコン
１７  カメラ（画像機器）
２３  データ通信処理部
２４  画像表示部
２５  情報処理部
２８  情報送受信部
【図１】
2006140878.tif 000003
【図２】
2006140878.tif 000004
【図３】
2006140878.tif 000005
【図４】
2006140878.tif 000006
【図５】
2006140878.tif 000007
【図６】
2006140878.tif 000008